(57)【要約】【課題】配線の腐食による断線を防止することを目的とする。【解決手段】表示装置は、表示領域４０と、表示領域４０を囲む額縁領域４２と、を含み、額縁領域４２に形成された絶縁層４４と、額縁領域４２で表示領域４０の外周の少なくとも一部を囲むように延びる配線５０と、を含み、配線５０は、絶縁層４４上に配置された第１配線５２と、幅方向の一部が第１配線５２上に載って幅方向の残りの部分が第１配線５２からはみ出して絶縁層４４上に載る第２配線５４と、を含み、第１配線５２と第２配線５４は、電気的に接続し、イオン化傾向の異なる材料からなる。【選択図】図３
2012068478.tif 000002
【特許請求の範囲】
【請求項１】
表示領域と、前記表示領域を囲む額縁領域と、を含む表示装置であって、
前記額縁領域に形成された絶縁層と、
前記額縁領域で、前記表示領域の外周の少なくとも一部を囲むように延びる配線と、
を含み、
前記配線は、前記絶縁層上に配置された第１配線と、幅方向の一部が前記第１配線上に載って前記幅方向の残りの部分が前記第１配線からはみ出して前記絶縁層上に載る第２配線と、を含み、
前記第１配線と前記第２配線は、電気的に接続し、イオン化傾向の異なる材料からなることを特徴とする表示装置。
【請求項２】
請求項１に記載された表示装置において、
前記第２配線は、前記表示領域から離れる方向に、前記第１配線からはみ出すことを特徴とする表示装置。
【請求項３】
請求項１に記載された表示装置において、
前記第２配線は、前記表示領域に近づく方向に、前記第１配線からはみ出すことを特徴とする表示装置。
【請求項４】
請求項１に記載された表示装置において、
一対の前記第２配線を有し、
一方の前記第２配線は、前記第１配線の前記表示領域から離れた側の端部上に載って、前記表示領域から離れる方向に前記第１配線からはみ出し、
他方の前記第２配線は、前記第１配線の前記表示領域に近い側の端部上に載って、前記表示領域に近づく方向に、前記第１配線からはみ出すことを特徴とする表示装置。
【請求項５】
請求項４に記載された表示装置において、
前記配線の長さ方向の両端部の間で前記他方の前記第２配線から引き出された、先端に端子を有する引出配線をさらに有し、
前記引出配線は、前記一方の前記第２配線及び前記第１配線のいずれとも直接的な接触を避けるように形成されていることを特徴とする表示装置。
【請求項６】
請求項５に記載された表示装置において、
前記端子を除いて前記引出配線を覆う、有機材料からなる被覆層をさらに有することを特徴とする表示装置。
【請求項７】
請求項４から６のいずれか１項に記載された表示装置において、
少なくとも前記一方の前記第２配線の上方に位置する、有機材料からなるシールをさらに有することを特徴とする表示装置。
【請求項８】
請求項１から７のいずれか１項に記載された表示装置において、
前記第１配線の材料は、前記第２配線の材料よりもイオン化傾向が高いことを特徴とする表示装置。
【請求項９】
請求項１から７のいずれか１項に記載された表示装置において、
前記第１配線の材料は、前記第２配線の材料よりもイオン化傾向が低いことを特徴とする表示装置。
【請求項１０】
請求項１から９のいずれか１項に記載された表示装置において、
前記第１配線と前記第２配線との電気的接続部が、前記配線の延びる方向に沿って、切れ目なく連続的に設けられていることを特徴とする表示装置。
【請求項１１】
請求項１から９のいずれか１項に記載された表示装置において、
前記第１配線と前記第２配線との電気的接続部が、前記配線の延びる方向に沿って、断続的に、１列に並ぶ複数個所のそれぞれに設けられていることを特徴とする表示装置。
【請求項１２】
請求項１から９のいずれか１項に記載された表示装置において、
前記第１配線と前記第２配線との電気的接続部が、前記配線の延びる方向及び幅方向に沿って、断続的に、複数行複数列をなす複数個所のそれぞれに設けられていることを特徴とする表示装置。
【請求項１３】
請求項４から７のいずれか１項に記載された表示装置において、
前記第１配線と前記一方の前記第２配線との電気的接続部が、前記配線の延びる方向及び幅方向に沿って、断続的に、複数行複数列をなす複数個所のそれぞれに設けられ、
前記第１配線と前記他方の前記第２配線との電気的接続部が、前記配線の延びる方向に沿って、断続的に、１列に並ぶ複数個所のそれぞれに設けられていることを特徴とする表示装置。
【請求項１４】
請求項１から１３のいずれか１項に記載された表示装置において、
前記絶縁層は無機材料からなることを特徴とする表示装置。
【発明の詳細な説明】
【技術分野】
【０００１】
本発明は、表示装置に関する。
【背景技術】
【０００２】
近年の携帯電話やデジタルカメラのトレンドに表示パネルの狭額縁化が挙げられる。表示パネルには表示領域、周辺回路、端子、周辺回路と端子を接続する配線があり、額縁領域には周辺回路、端子、配線が含まれる（特許文献１）。特に有機エレクトロルミネッセンス表示装置の場合、発光電流の流れる配線が必要で、消費電力の観点からその配線の抵抗を低く抑えた方が良いため、発光電流の流れる配線が太く配置される。ところが、狭額縁化を進めると周辺回路や配線の領域が狭くなるため、配線の抵抗が上昇する。
【先行技術文献】
【特許文献】
【０００３】
【特許文献１】特開２０１０−９２７０９号公報
【発明の概要】
【発明が解決しようとする課題】
【０００４】
額縁領域にはパネルを作製する過程の切断工程での切断公差や、配線の腐食を防止するために配線層を絶縁層で確実に覆うための尤度領域が設けられている。この尤度領域を削ることで従来の画質を維持しつつ狭額縁化を進めることが可能になるが、この構造を採用するとパネルの高温高湿通電試験において不具合が生じることが予想される。
【０００５】
表示パネルの持ち運びやセットメーカにおける筐体への組み込みの際に静電気が生じることがある。静電気が生じると周辺の配線へ放電する。この放電は配線上の絶縁層によって生じやすさや破壊状態が異なり、配線上に有機系絶縁層のあるところに比べ、無機系絶縁層のみからなるところでは膜厚が薄いため放電しやすく、無機系絶縁層に穴の開いた放電痕が生じる。高温高湿試験を行う際に、放電痕に水分が付着し、配線が腐食し、断線するために画質劣化が生じる。
【０００６】
本発明は、配線の腐食による断線を防止することを目的とする。
【課題を解決するための手段】
【０００７】
（１）本発明に係る表示装置は、表示領域と、前記表示領域を囲む額縁領域と、を含む表示装置であって、前記額縁領域に形成された絶縁層と、前記額縁領域で、前記表示領域の外周の少なくとも一部を囲むように延びる配線と、を含み、前記配線は、前記絶縁層上に配置された第１配線と、幅方向の一部が前記第１配線上に載って前記幅方向の残りの部分が前記第１配線からはみ出して前記絶縁層上に載る第２配線と、を含み、前記第１配線と前記第２配線は、電気的に接続し、イオン化傾向の異なる材料からなることを特徴とする。本発明によれば、電気的に接続する第１配線と第２配線のイオン化傾向が異なるので、イオン化傾向の高い一方の腐食が進行するが、イオン化傾向の低い他方の腐食を抑えることができる。これにより、配線の腐食による断線を防止することができる。
【０００８】
（２）（１）に記載された表示装置において、前記第２配線は、前記表示領域から離れる方向に、前記第１配線からはみ出すことを特徴としてもよい。
【０００９】
（３）（１）に記載された表示装置において、前記第２配線は、前記表示領域に近づく方向に、前記第１配線からはみ出すことを特徴としてもよい。
【００１０】
（４）（１）に記載された表示装置において、一対の前記第２配線を有し、一方の前記第２配線は、前記第１配線の前記表示領域から離れた側の端部上に載って、前記表示領域から離れる方向に前記第１配線からはみ出し、他方の前記第２配線は、前記第１配線の前記表示領域に近い側の端部上に載って、前記表示領域に近づく方向に、前記第１配線からはみ出すことを特徴としてもよい。
【００１１】
（５）（４）に記載された表示装置において、前記配線の長さ方向の両端部の間で前記他方の前記第２配線から引き出された、先端に端子を有する引出配線をさらに有し、前記引出配線は、前記一方の前記第２配線及び前記第１配線のいずれとも直接的な接触を避けるように形成されていることを特徴としてもよい。
【００１２】
（６）（５）に記載された表示装置において、前記端子を除いて前記引出配線を覆う、有機材料からなる被覆層をさらに有することを特徴としてもよい。
【００１３】
（７）（４）から（６）のいずれか１項に記載された表示装置において、少なくとも前記一方の前記第２配線の上方に位置する、有機材料からなるシールをさらに有することを特徴としてもよい。
【００１４】
（８）（１）から（７）のいずれか１項に記載された表示装置において、前記第１配線の材料は、前記第２配線の材料よりもイオン化傾向が高いことを特徴としてもよい。
【００１５】
（９）（１）から（７）のいずれか１項に記載された表示装置において、前記第１配線の材料は、前記第２配線の材料よりもイオン化傾向が低いことを特徴としてもよい。
【００１６】
（１０）（１）から（９）のいずれか１項に記載された表示装置において、前記第１配線と前記第２配線との電気的接続部が、前記配線の延びる方向に沿って、切れ目なく連続的に設けられていることを特徴としてもよい。
【００１７】
（１１）（１）から（９）のいずれか１項に記載された表示装置において、前記第１配線と前記第２配線との電気的接続部が、前記配線の延びる方向に沿って、断続的に、１列に並ぶ複数個所のそれぞれに設けられていることを特徴としてもよい。
【００１８】
（１２）（１）から（９）のいずれか１項に記載された表示装置において、前記第１配線と前記第２配線との電気的接続部が、前記配線の延びる方向及び幅方向に沿って、断続的に、複数行複数列をなす複数個所のそれぞれに設けられていることを特徴としてもよい。
【００１９】
（１３）（４）から（７）のいずれか１項に記載された表示装置において、前記第１配線と前記一方の前記第２配線との電気的接続部が、前記配線の延びる方向及び幅方向に沿って、断続的に、複数行複数列をなす複数個所のそれぞれに設けられ、前記第１配線と前記他方の前記第２配線との電気的接続部が、前記配線の延びる方向に沿って、断続的に、１列に並ぶ複数個所のそれぞれに設けられていることを特徴としてもよい。
【００２０】
（１４）（１）から（１３）のいずれか１項に記載された表示装置において、前記絶縁層は無機材料からなることを特徴としてもよい。
【図面の簡単な説明】
【００２１】
【図１】本発明の実施形態に係る表示装置を説明する断面図である。
【図２】本発明の実施形態に係る表示装置の平面図である。
【図３】本発明の実施形態に係る表示装置の額縁領域の断面図である。
【図４】図４（Ａ）は、本発明の実施形態に係る表示装置が有する第１配線及び第２配線の変形例１を示す図であり、図４（Ｂ）は、図４（Ａ）に示す第１配線及び第２配線のIVB−IVB線断面図であり、図４（Ｃ）は、図４（Ａ）に示す第１配線及び第２配線のIVC−IVC線断面図である。
【図５】図５（Ａ）は、本発明の実施形態に係る表示装置が有する第１配線及び第２配線の変形例２を示す図であり、図５（Ｂ）は、図５（Ａ）に示す第１配線及び第２配線のVB−VB線断面図である。
【図６】本発明の実施形態に係る表示装置にフレキシブル配線基板を取り付けたモジュールを示す図である。
【図７】図６に示すモジュールのVII−VII線断面図である。
【発明を実施するための形態】
【００２２】
以下、本発明の実施形態について、図面を参照して説明する。
【００２３】
図１は、本発明の実施形態に係る表示装置を説明する断面図である。表示装置は、本実施形態では有機エレクトロルミネッセンス表示装置であるが、液晶表示装置その他の表示装置であってもよい。
【００２４】
表示装置は、回路基板１０を有する。回路基板１０は、ガラス等からなる基板１２を有する。基板１２上には、半導体薄膜１４が形成され、その上方に絶縁膜１６を介してゲート電極１８が形成され、半導体薄膜１４に導通するようにソース／ドレイン電極２０が形成されることで、薄膜トランジスタ２２が構成されている。なお、薄膜トランジスタ２２を覆うように層間絶縁膜２４が形成されている。
【００２５】
回路基板１０は、複数の画素電極２６を有する。画素電極２６（例えば陽極電極）は、薄膜トランジスタ２２によって駆動されるようになっている。画素電極２６の一部を開口させるように、例えば有機材料からなるバンク層２８が形成されている。バンク層２８の開口で画素電極２６に載るようにホール輸送層３０が形成され、その上に、発光層３２が形成されている。複数の画素電極２６に載るように複数の発光層３２が形成されている。発光層３２は、電圧をかけることにより発光する周知の有機材料からなる。発光層３２の上には、共通電極３４（例えば陰極電極）が形成され、その上方に封止板３６（例えばガラス板）が設けられている。封止板３６は、シール３８（図３参照）によって回路基板１０に取り付けられている。
【００２６】
図２は、本発明の実施形態に係る表示装置の平面図である。表示装置は、表示領域４０を有している。表示領域４０に発光層３２が設けられており、画像を表示できるようになっている。表示装置は、表示領域４０を囲む額縁領域４２を含む。
【００２７】
図３は、本発明の実施形態に係る表示装置の額縁領域４２の断面図である。額縁領域４２には少なくとも１層からなる絶縁層４４が形成されている。絶縁層４４は、図１に示す絶縁膜１６又は層間絶縁膜２４と連続的に形成してもよい。絶縁層４４は無機材料からなる。絶縁層４４は、表示領域４０に至るように形成してもよい。なお、本実施形態において、絶縁膜は単層でも複数層でも良いため、図中に各絶縁層の境界線を記載していない。
【００２８】
額縁領域４２には、周辺回路４６が形成されている。周辺回路４６は、図示しない走査線駆動回路を含み、図示しない走査線に電気的に接続されている。複数の走査線が額縁領域４２から表示領域４０に延びるようになっており、走査信号が供給されるようになっている。
【００２９】
額縁領域４２には、図２に示すように、集積回路チップ４８が搭載されている。集積回路チップ４８は、図示しない信号線駆動回路などを含み、図示しない信号線に電気的に接続されている。図示しない信号線は額縁領域４２から表示領域４０に延びるようになっている。走査信号の印加によって選択された走査線に対応した画素について、信号線に供給される画像信号によって、上述した薄膜トランジスタ２２を制御する。なお、集積回路チップ４８は、周辺回路４６にも電気的に接続されている。
【００３０】
さらに、表示装置には、額縁領域４２から表示領域４０に延びるように、図示しない電源線が設けられている。電源線は、上述したソース／ドレイン電極２０に電気的に接続されており、画素電極２６を介して発光層３２に電流が供給される。
【００３１】
額縁領域４２で、表示領域４０の外周の少なくとも一部を囲むように配線５０が延びている。図２に示す例では、矩形の表示領域４０の３辺の外側に配線５０が延びている。配線５０は、周辺回路４６の外側に位置している。配線５０は、共通電極３４（図１参照）に電気的に接続されている。すなわち、配線５０は、発光層３２に電流を供給するためのものである。
【００３２】
図３に示すように、配線５０は、第１配線５２及び第２配線５４を含む。第１配線５２は、絶縁層４４上に配置されている。絶縁層４４が無機材料からなる場合、第１配線５２と絶縁層４４の密着性は高い。第２配線５４は、幅方向の一部が第１配線５２上に載っている。第２配線５４の幅方向の残りの部分は、第１配線５２からはみ出して絶縁層４４上に載っている。また、第１配線５２及び第２配線５４は絶縁層４４によって覆われている。絶縁層４４が無機材料からなる場合、第２配線５４と絶縁層４４の密着性は高い。したがって、第１配線５２と絶縁層４４との密着性が低下しても、第２配線５４と絶縁層４４との密着性が維持されることで、配線５０全体の絶縁層４４との密着性が維持される。なお、密着性の低下原因として、配線５０の腐食が挙げられる。
【００３３】
第２配線５４は、一対の第２配線５４Ａ，５４Ｂを含む。なお、第２配線５４の上方にシール３８が位置している。一方（外側）の第２配線５４Ａは、第１配線５２の表示領域４０から離れた側の端部上に載っている。外側の第２配線５４Ａは、表示領域４０から離れる方向に第１配線５２からはみ出している。他方（内側）の第２配線５４Ｂは、第１配線５２の表示領域４０に近い側の端部上に載っている。内側の第２配線５４Ｂは、表示領域４０に近づく方向に、第１配線５２からはみ出している。第１配線５２は、一対の第２配線５４Ａ，５４Ｂの間に位置する。外側の第２配線５４Ａでは静電気等による放電痕を起点に腐食が発生しやすい。
【００３４】
第１配線５２及び第２配線５４は、電気的に接続されている。第１配線５２と第２配線５４との電気的接続部６０が、図２に示すように、配線５０の延びる方向に沿って、切れ目なく連続的に設けられている。
【００３５】
第１配線５２及び第２配線５４は、イオン化傾向の異なる材料からなる。したがって、電気的に接続する第１配線５２と第２配線５４のイオン化傾向が異なるので、イオン化傾向の高い一方の腐食が進行すると、イオン化傾向の低い他方の腐食を抑えることができる。これにより、配線５０の腐食による断線を防止することができる。
【００３６】
例えば、第１配線５２の材料のイオン化傾向が、第２配線５４の材料よりも低い場合、イオン化傾向の高い第２配線５４が第１配線５２よりも腐食しやすい。その場合、外側の第２配線５４Ａが腐食することで、これに電気的に接続された第１配線５２の腐食が防止される。その結果、内側の第２配線５４Ｂの腐食が防止される。
【００３７】
これに対して、第１配線５２の材料のイオン化傾向が、第２配線５４の材料よりも高い場合、第１配線５２が第２配線５４よりも腐食しやすい。したがって、第２配線５４の腐食が防止される。例えば、外側の第２配線５４Ａが腐食し、第２配線５４Ａとの接触部分から第１配線５２に腐食が進んだ場合、第１配線５２が腐食することで、これに電気的に接続された内側の第２配線５４Ｂの腐食が防止される。
【００３８】
図２に示すように、配線５０の長さ方向の両端部の間で、内側の第２配線５４Ｂから、先端に外部端子５８を有する引出配線５６が引き出されている。配線５０（第１配線５２並びに内側及び外側の第２配線５４Ａ，５４Ｂ）のうち、最も内側の部分（すなわち内側の第２配線５４Ｂ）のみが、引出配線５６に接続されている。これにより、最も外気から遠い部分を外部端子５８に接続するので、配線５０と外部端子５８との断線の可能性を減らすことができる。さらに、イオン化傾向の違いを適用して腐食しにくくなった部分が、最も内側に位置すれば、断線防止の効果が一層増すことになる。
【００３９】
引出配線５６は、内側の第２配線５４Ｂ及び第１配線５２のいずれとも直接的な接触を避けるように形成されている。引出配線５６は、集積回路チップ４８、周辺回路４６及び図示しない電源線にも接続されている。
【００４０】
本実施形態は、第１配線５２よりも内側及び外側に一対の第２配線５４Ａ，５４Ｂが設けられた例であるが、外側又は内側の一方の第２配線５４だけを設けてもよい。第２配線５４が第１配線５２よりも内側にある場合、第２配線５４よりも第１配線５２のイオン化傾向を高くすれば、内側の第２配線５４Ｂの腐食を防止することができる。第２配線５４が第１配線５２よりも外側にある場合、第１配線５２よりも第２配線５４のイオン化傾向を高くすれば、内側に位置する第１配線５２の腐食を防止することができる。
【００４１】
図４（Ａ）は、本発明の実施形態に係る表示装置が有する第１配線及び第２配線の変形例１を示す図である。図４（Ｂ）は、図４（Ａ）に示す第１配線及び第２配線のIVB−IVB線断面図である。図４（Ｃ）は、図４（Ａ）に示す第１配線及び第２配線のIVC−IVC線断面図である。
【００４２】
この例では、第１配線１５２と第２配線１５４との電気的接続部１６０が、配線１５０の延びる方向に沿って、断続的に、１列に並ぶ複数個所のそれぞれに設けられている。詳しくは、第１配線１５２と第２配線１５４の間に絶縁層が介在し、絶縁層に複数の穴が形成されて、第１配線１５２と第２配線１５４の複数の電気的接続部１６０が設けられている。
【００４３】
これによれば、電気的接続部１６０が配線１５０の延びる方向に断続的に設けられており、隣同士の電気的接続部１６０が直接的には接触していない。そのため、腐食が配線１５０の延びる方向に進みにくくなっており、いずれかの電気的接続部１６０に腐食が生じても、他の電気的接続部１６０による電気的接続を確保することができる。
【００４４】
また、第１配線１５２と第２配線１５４との電気的接続部１６０が、配線１５０の幅方向には１つが配置されているだけなので、イオン化傾向の違いによる腐食の進行を止める作用が直ちに働く。これにより、配線１５０の一部を腐食しないように残すことができる。
【００４５】
図５（Ａ）は、本発明の実施形態に係る表示装置が有する第１配線及び第２配線の変形例２を示す図である。図５（Ｂ）は、図５（Ａ）に示す第１配線及び第２配線のVB−VB線断面図である。
【００４６】
この例では、第１配線２５２と第２配線２５４との電気的接続部２６０が、配線２５０の延びる方向及び幅方向に沿って、断続的に設けられている。すなわち、第１配線２５２と第２配線２５４との電気的接続部２６０が、複数行複数列をなす複数個所のそれぞれに設けられている。
【００４７】
さらに詳しくは、第１配線２５２と外側の第２配線２５４Ａとの電気的接続部２６０が、配線２５０の延びる方向及び幅方向に沿って、断続的に、複数行複数列をなす複数個所のそれぞれに設けられている。これによれば、複数行複数列で設けられる電気的接続部２６０によって、広い電気的接続が可能になるので電気的接続抵抗値を下げることができる。
【００４８】
これに対して、第１配線２５２と内側の第２配線２５４Ｂとの電気的接続部２６０が、配線２５０の延びる方向に沿って、断続的に、１列に並ぶ複数個所のそれぞれに設けられている。
【００４９】
図６は、本発明の実施形態に係る表示装置にフレキシブル配線基板を取り付けたモジュールを示す図である。図７は、図６に示すモジュールのVII−VII線断面図である。
【００５０】
図２に示すように、表示装置は外部端子５８を含む引出配線５６を有しており、外部端子５８にフレキシブル配線基板６２が電気的及び物理的に接続されている。そして、図７に示すように被覆層６４が引出配線５６（図２参照）を覆っている。被覆層６４は有機材料からなる。なお、封止板３６の上には偏光板６６が貼り付けられている。
【００５１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００５２】
１０  回路基板、１２  基板、１４  半導体薄膜、１６  絶縁膜、１８  ゲート電極、２０  ソース／ドレイン電極、２２  薄膜トランジスタ、２４  層間絶縁膜、２６  画素電極、２８  バンク層、３０  ホール輸送層、３２  発光層、３４  共通電極、３６  封止板、３８  シール、４０  表示領域、４２  額縁領域、４４  絶縁層、４６  周辺回路、４８  集積回路チップ、５０  配線、５２  第１配線、５４  第２配線、５４Ａ  第２配線、５４Ｂ  第２配線、５６  引出配線、５８  外部端子、６０  電気的接続部、６２  フレキシブル配線基板、６４  被覆層、６６  偏光板、１５０  配線、１５２  第１配線、１５４  第２配線、１６０  電気的接続部、２５０  配線、２５２  第１配線、２５４  第２配線、２６０  電気的接続部。
【図１】
2012068478.tif 000003
【図２】
2012068478.tif 000004
【図３】
2012068478.tif 000005
【図４】
2012068478.tif 000006
【図５】
2012068478.tif 000007
【図６】
2012068478.tif 000008
【図７】
2012068478.tif 000009